(57)【要約】【課題】  電話機において、部品点数および組立工数を削減する。【解決手段】  表側ケース２に取り付けられるプリント基板１８の中央部には、ブザー１９とＬＥＤ２０とが実装されている。半透明の弾性材によって形成された導光体２５には、ブザー１９に嵌合される嵌合凹部と、ＬＥＤ２０が収納される収納凹部と、これらの間に設けられた溝３１とが形成されている。裏側ケース５と表側ケース２との互いの開口端５ｂ，２ｂを接合することにより、プリント基板１８の中央部が導光体２５を介して裏側ケース５によって表側ケース２側に押圧される。同時に、導光体２５の溝３１内に規制片３８が嵌入され、ＬＥＤ２０から発光される光のブザー１９側への漏洩が規制される。【選択図】  図４
2010109682.tif 000002
【特許請求の範囲】
【請求項１】
一面が開口され両端部のそれぞれに送話部および受話部が設けられこれら送話部と受話部との間にダイヤルボタンが備えられた第１のケースと、一面が開口され前記第１のケースと互いの開口端が接合される第２のケースと、前記第１のケースの開口を覆うように取り付けられＬＥＤが実装されたプリント基板とを備えた電話機において、
前記ＬＥＤから発光された光を第２のケースの外部に導出するレンズ部を一体に設けた導光体を備え、この導光体を透光性を有する弾性材によって形成し、前記第１および第２のケースが互いの開口端を接合されることにより、前記導光体が前記第２のケースによって前記第１のケース側に押圧され、当該導光体と前記第１のケースとによって前記プリント基板の中央部を挟持することを特徴とする電話機。
【請求項２】
前記導光体に前記レンズ部に近接した溝を設け、この溝に嵌入し前記ＬＥＤから発光された光の漏洩を規制する規制片を前記第２のケースに設けたことを特徴とする請求項１記載の電話機。
【請求項３】
前記プリント基板にブザーを実装し、このブザーが前記導光体を介して前記第２のケースによって前記プリント基板に押圧されることを特徴とする請求項１または２記載の電話機。
【請求項４】
前記第１のケースに前記プリント基板を取り付けるための弾性係合片を設け、この弾性係合片に嵌合する位置決め部を前記導光体に形成したことを特徴とする請求項１ないし３のいずれか一項記載の電話機。
【発明の詳細な説明】
【技術分野】
【０００１】
本発明は、ダイヤルボタンが送受話器に設けられた、いわゆるワンピース型の電話機に関するものである。
【背景技術】
【０００２】
この種の電話機においては、送受話器が本体と別体に設けられたタイプの電話機と比較して、複数枚のプリント基板を実装するスペースがないため、１枚のプリント基板にすべての部品が実装される。特に、プリント基板上にダイヤルボタンや機能ボタンのスイッチ部も実装されていることにより、これらのボタンが押圧操作されるときにプリント基板が撓んだりするとスイッチ部に動作不良が発生するため、プリント基板が撓まないように複数箇所においてねじ止めするようにしている（例えば、特許文献１参照）。
【特許文献１】特開平６−１５２４９２号公報（段落〔０００３〕および図５）
【発明の開示】
【発明が解決しようとする課題】
【０００３】
上述した従来の電話機においては、ねじだけでプリント基板を固定する構造であるため、ねじの本数が多くなり、部品点数や組立工数が増加するという問題があった。
【０００４】
本発明は上記した従来の問題に鑑みなされたものであり、その目的とするところは、部品点数および組立工数を削減した電話機を提供するところにある。
【課題を解決するための手段】
【０００５】
この目的を達成するために、本発明は、一面が開口され両端部のそれぞれに送話部および受話部が設けられこれら送話部と受話部との間にダイヤルボタンが備えられた第１のケースと、一面が開口され前記第１のケースと互いの開口端が接合される第２のケースと、前記第１のケースの開口を覆うように取り付けられＬＥＤが実装されたプリント基板とを備えた電話機において、前記ＬＥＤから発光された光を第２のケースの外部に導出するレンズ部を一体に設けた導光体を備え、この導光体を透光性を有する弾性材によって形成し、前記第１および第２のケースが互いの開口端を接合されることにより、前記導光体が前記第２のケースによって前記第１のケース側に押圧され、当該導光体と前記第１のケースとによって前記プリント基板の中央部を挟持するものである。
【０００６】
本発明は、前記発明において、前記導光体に前記レンズ部に近接した溝を設け、この溝に嵌入し前記ＬＥＤから発光された光の漏洩を規制する規制片を前記第２のケースに設けたものである。
【０００７】
本発明は、前記発明のいずれか一つの発明において、前記プリント基板にブザーを実装し、このブザーが前記導光体を介して前記第２のケースによって前記プリント基板に押圧される。
【０００８】
本発明は、前記発明のいずれか一つの発明において、前記第１のケースに前記プリント基板を取り付けるための弾性係合片を設け、この弾性係合片に嵌合する位置決め部を前記導光体に形成したものである。
【発明の効果】
【０００９】
本発明によれば、ＬＥＤから発光された光を第２のケースの外部に導出する導光体を利用してプリント基板の中央部を第１のケースとともに挟持することにより、プリント基板を保持するための専用の部材が不要になるため部品点数が削減される。同時にプリント基板の中央部をねじ止めする必要がなくなるから、ねじの本数を削減することができ、組立工数も削減することができる。また、プリント基板の中央部を導光体によって支承することができるため、プリント基板の中央部に実装されるスイッチのＯＮ、ＯＦＦ動作を誤動作なく確実に行うことができ、特に押圧ストロークの相対的に短いタクトスイッチの誤動作を防止することができる。
【発明を実施するための最良の形態】
【００１０】
以下、本発明の実施の形態を図に基づいて説明する。図１は本発明に係る電話機の正面図、図２は同じく側面図、図３（Ａ）は同じく背面図、同図（Ｂ）は上ケースを取り外した状態を示す背面図、図４は同じく分解して示す斜視図、図５は図３におけるV-V 線断面図、図６は図３におけるVI-VI 線断面図である。
【００１１】
図４に全体を符号１で示す電話機は、一面に開口部２ａを有し両端部のそれぞれに送話部３および受話部４が設けられた第１のケースとしての表側ケース２と、一面に開口部５ａを有し表側ケース２と互いの開口端２ｂ，５ｂが接合される第２のケースとしての裏側ケース５とを備え、これら両ケース２，５とを接合することにより筺体６が形成される。
【００１２】
表側ケース２の送話部３と受話部４との間には、図１に示すように第１ないし第４の機能ボタン７ないし１０、ダイヤルボタン１１および表示部１２が設けられている。表側ケース２の開口端２ｂの中央部には、図４に示すように係合孔１４ａを有する一対の係合片１４，１４が互いに対向するように立設されている。１５は表側ケース２の受話部４側の端部に立設された支承部であって、断面がＶ字状に形成された係合溝１５ａが設けられている。１６はプリント基板１８を表側ケース２に取り付けるための弾性係合片であって、表側ケース２の底部から立設され先端部に爪部が形成されている。表側ケース２の底部には、図５に示すようにプリント基板１８を載置する載置リブ１７が一体に立設されている。
【００１３】
プリント基板１８は、表側ケース２の開口部２ａの略全体を覆うように細長い長方形に形成されており、一端部には２個のねじ挿通孔１８ａ，１８ａが設けられ、両側部には弾性係合片１６が係入される複数の切欠き１８ｂが設けられており、中央部には円柱状のブザー１９とＬＥＤ２０とが実装されている。また、プリント基板１８のブザー１９が実装された面と反対の面上には、上述した第１ないし第４の機能ボタン７ないし１０、ダイヤルボタン１１を押圧操作することによって動作するスイッチが実装されており、このうち、プリント基板１８の中央部で後述する導光体２５によって支承される部位には、第３の機能ボタン９によって動作されるタクトスイッチ（いずれも図示せず）が実装されている。プリント基板１８の他端部には、アンテナ２１が支持金具２２を介してねじ２３によって取り付けられており、プリント基板１８はこのねじ２３によって表側ケース２に共締めされている。
【００１４】
２５は乳白色の弾性材によって扁平な略直方体に形成された導光体であって、全体が半透明の透光材によって形成されており、右端部にはブザー１９が嵌合する嵌合凹部２６（図５参照）が設けられており、この嵌合凹部２６の上面には音孔２６ａが形成されている。また、この導光体２５の左端部には、凸部２７ａ，２７ｂが下方に突設されている。このうち、凸部２７ａには、図６に示すようにＬＥＤ２０を収容する収容凹部２８が設けられており、凸部２７ｂには、弾性係合片１６が嵌合する位置決め部としての嵌合凹部２９が設けられている。
【００１５】
導光体２５の上面には、図２および図６に示すように、収容凹部２８に対応してＬＥＤ２０から発光された光を後述する透孔３７から裏側ケース５の外部に導出するレンズ部３０が一体に突設されている。３１はレンズ部３０と嵌合凹部２６との間を遮断するように導光体２５の上部に設けられた溝であって、裏側ケース５の後述する規制片３８が嵌入される。
【００１６】
裏側ケース５には、図４に示すように電池蓋３５が着脱自在に取り付けられており、導光体２５の音孔２６ａに対応して音孔３６が設けられ、導光体２５のレンズ部３０に対応して透孔３７が設けられている。また、裏側ケース５の裏面には、図５に示すように導光体２５の溝３１に嵌入する規制片３８と、導光体２５の上面を押圧する複数の押圧リブ３９とが突設されている。
【００１７】
次に、図３ないし図６を用いて、このように構成された電話機の組立方法について説明する。先ず、ブザー１９やＬＥＤ２０が実装されたプリント基板１８を、図４に示すように表側ケース２の開口部２ａから表側ケース２内に挿入する。弾性係合片１６を弾性変形させながら、弾性係合片１６の爪をプリント基板１８の切欠き１８ｂの縁部に係合させることにより、プリント基板１８を載置リブ１７上に載置した状態で、表側ケース２に仮止めする。次いで、アンテナ２１をプリント基板１８に取り付けるためのねじ２３を表側ケース２に立設したスタッド（図示せず）に螺合させることにより、アンテナ２１と共にプリント基板１８を表側ケース２に共締めする。
【００１８】
次に、表側ケース２の上方から導光体２５の嵌合凹部２６をブザー１９に嵌合させ、嵌合凹部２９を弾性係合片１６に嵌合させることにより、導光体２５をプリント基板１８上に載置する。この状態で、導光体２５の凸部２７ａ，２７ｂの下面が、図５および図６に示すようにプリント基板１８の上面に当接する。次いで、裏側ケース５に設けた係合部（図示せず）を表側ケース２の支承部１５の係合溝１５ａに係合させ、支承部１５を回動中心として図４中反時計方向に回動させる。裏側ケース５の開口部５ａと表側ケース２の開口部２ａとを互いに閉じることにより、裏側ケース５の開口端５ｂに設けた係合突起（図示せず）が表側ケース２の係合部１４の係合孔１４ａに係合し、裏側ケース５と表側ケース２との互いの開口端５ｂ，２ｂとが接合され、筺体６が形成される。
【００１９】
次いで、電池蓋３５を裏側ケース５から取り外し、ねじ４０，４０（図３（Ｂ）参照）をプリント基板１８のねじ挿通孔１８ａ，１８ａに挿通させ、表側ケース２に立設したスタッド（図示せず）に螺合させることにより、プリント基板１８が表側ケース２に取り付けられる。電池収納部（図示せず）に電池を収納し、電池蓋３５をアッパケース５に取り付ける。
【００２０】
この状態で、裏側ケース５の押圧リブ３９の先端が、図５に示すように導光体２５の上面に当接し、導光体２５を図中下方に押圧するとともに、導光体２５の凸部２７ａ，２７ｂがプリント基板１８を下方に押圧する。したがって、導光体２５の弾性によって、プリント基板１８は、凸部２７ａ，２７ｂおよびブザー１９と表側ケース２の載置リブ１７とによって挟持される。
【００２１】
このように、プリント基板１８は、中央部が導光体２５によって表側ケース２の載置リブ１７側に押圧され、導光体２５の凸部２７ａ，２７ｂおよびブザー１９と載置リブ１７とによって挟持されるため、プリント基板１８は両端部を締め付ける３本のねじ２３，４０，４０によって表側ケース２に取り付けられる。したがって、従来８本必要とされていたねじの本数を３本までに削減することができ、組立工数も削減することができる。また、ＬＥＤ２０から発光された光を裏側ケース５の外部に導出する導光体２５を利用してプリント基板１８の中央部を表側ケース２とともに挟持するようにしたことにより、プリント基板１８を挟持するための専用の部材が不要になるため部品点数が削減される。
【００２２】
また、プリント基板１８を表側ケース２に取り付けるための弾性係合片１６を導光体２５の位置決め部材としても兼用したことにより、位置決め部材を新たに設ける必要がなくなるから、その位置決め部材によってプリント基板１８における部品を実装するためのスペースを狭めるようなことがない。また、導光体２５の溝３１内に規制片３８を嵌入させたことにより、ＬＥＤ２０から発光される光がブザー１９側に漏洩するのを規制することができるため、ＬＥＤ２０から発光される光をレンズ部３０に効率よく導光することができる。さらに、プリント基板１８の中央部の裏面が導光体２５によって支承されるため、プリント基板１８の中央部に実装される押圧ストロークが相対的に短いタクトスイッチのＯＮ、ＯＦＦ動作を第３の機能ボタン９によって誤動作なく確実に行うことができる。
【００２３】
なお、本実施の形態においては、導光体２５によってブザー１９を押圧するようにしたが、例えばマイクロホンでもよく、要は導光体２５によってプリント基板１８の中央部に実装される部品を押圧するようにすればよい。
【図面の簡単な説明】
【００２４】
【図１】本発明に係る電話機の正面図である。
【図２】本発明に係る電話機の側面図である。
【図３】同図（Ａ）は本発明に係る電話機の背面図、同図（Ｂ）は上ケースを取り外した状態を示す背面図である。
【図４】本発明に係る電話機を分解して示す斜視図である。
【図５】図３におけるV-V 線断面図である。
【図６】図３におけるVI-VI 線断面図である。
【符号の説明】
【００２５】
１…電話機、２…表側ケース（第１のケース）、３…送話部、４…受話部、５…裏側ケース（第２のケース）、６…筺体、１１…ダイヤルボタン、１６…弾性係合片、１８…プリント基板、１９…ブザー、２０…ＬＥＤ、２５…導光体、２６…嵌合凹部、２８…収容凹部、２９…嵌合凹部、３０…レンズ部、３１…溝、３８…規制片、３９…押圧リブ。
【図１】
2010109682.tif 000003
【図２】
2010109682.tif 000004
【図３】
2010109682.tif 000005
【図４】
2010109682.tif 000006
【図５】
2010109682.tif 000007
【図６】
2010109682.tif 000008